(57)【特許請求の範囲】
【請求項１】
収納部に挿入された装置の取り出しに使用するイジェクト機構のボタンと、前記ボタンに回転機構を有し、その回転軸を中心に、前記装置の収納方向後端よりも突出した前記ボタンの先端部が回転することにより、前記装置の前記収納部からの脱落防止を可能としたことを特徴とする脱落防止付イジェクト機構。
【請求項２】
収納部に挿入された装置の取り出しに使用するイジェクト機構のボタンと、前記ボタンにスライド機構を有し、前記装置の収納方向後端よりも突出した前記ボタンの先端部がスライドすることにより、前記装置の前記収納部からの脱落防止を可能としたことを特徴とする脱落防止付イジェクト機構。
【発明の詳細な説明】
【０００１】
【産業上の利用分野】
本発明は、ポータブルなパーソナルコンピュータやワードプロセッサー等の電子機器装置に挿入して使用されるＩＣカード等が不用意に装置本体より脱落することのないよう防止する脱落防止付イジェクト機構に関するものである。
【０００２】
【従来の技術】
近年、ダウンサイジング（小型化・軽量化）の傾向により情報伝達の媒体としてメモリカードやインタフェースカードのようなＩＣカードが利用されてきている。このようなＩＣカードは、電子機器装置に設けられるＩＣカード収納部に挿入して使用される。
【０００３】
以下に従来のＩＣカ−ド収納部のイジェクト機構について図７を参照しながら説明する。
【０００４】
図７（ａ）に示すように、１はＩＣカ−ド用コネクタ本体、３はＩＣカ−ド、５はイジェクトボタンであり、図７（ｂ）に示すように、ＩＣカ−ド用コネクタ本体１には、コンタクト２が、ＩＣカ−ド３には、ソケット４が構成されている。
【０００５】
以上のように構成されたＩＣカ−ド収納部のイジェクト機構について、以下その動作について説明する。
【０００６】
まず、ＩＣカード３をＩＣカード収納部であるＩＣカード用コネクタ本体１に挿入する。この状態ではイジェクト金具６がＩＣカード３によって押されるため、回転軸６ａを中心に回転し、イジェクト金具６の片端で結合されたイジェクトボタン５はＩＣカード３の挿入方向と逆の方向に移動し、ＩＣカード３の取り付けが完了する。このときＩＣカード３の保持については図７（ｂ）に示すように、ＩＣカード用コネクタ本体１のコンタクト２とＩＣカード３のソケット４との結合による保持力のみで支えるというのが一般的であった。
【０００７】
さらに、ＩＣカ−ド３の取り出しは、イジェクトボタン５を押すことによりイジェクト金具６が回転し、ＩＣカ−ド３を押し出す。
【０００８】
【発明が解決しようとする課題】
しかしながら、近年のＩＣカードは多機能化が進みカード自身の重量が重くなる傾向がある。従来の構成であるＩＣカードとＩＣカード用コネクタとの保持力のみでの構造では、携帯使用される商品においては脱落の危険があるという欠点を有していた。本発明は上記従来の課題を解決するもので、収納部に挿入されたＩＣカードの脱落防止機能を有する脱落防止付イジェクト機構を提供することを目的とする。
【０００９】
【課題を解決するための手段】
上記目的を達成するために本発明の脱落防止付イジェクト機構は、収納部に挿入された装置の取り出しに使用するイジェクト機構のボタンと、前記装置の収納方向後端よりも突出した前記ボタンの先端部に回転機構、または、スライド機構を有するものである。
【００１０】
【作用】
上記構成によりＩＣカードを挿入した際にイジェクトボタンの先端がＩＣカードの脱落方向に対し、ＩＣカードの後端でストッパーになる位置に配置されるのでＩＣカードの脱落防止を可能とする。
【００１１】
【実施例】
（実施例１）
以下、本発明の一実施例について図面を参照しながら説明する。
【００１２】
図１は本発明のイジェクト機構のボタンに回転機構を備えた脱落防止付イジェクト機構の上面図である。図１において、１はＩＣカード用コネクタ本体、３はＩＣカードであり、それぞれは図７（ｂ）に示すように、ＩＣカード用コネクタ本体１のコンタクト２とＩＣカード３のソケット４とにより電気的導通がなされ結合保持される構造を有している。またイジェクト金具６はＩＣカード用コネクタ本体１と回転軸６ａによって結合され、さらにイジェクト金具６の片端でイジェクトボタン１５の片端と結合されている。
【００１３】
図２はイジェクトボタン１５の先端構造を示した斜視図であり、イジェクトボタン１５とその先端で回転軸１５ａを中心に回転するＩＣカードストッパーつまみ１７とで構成している。
【００１４】
以上のように構成された脱落防止付イジェクト機構について、以下その動作及び作用を説明する。
【００１５】
まず、ＩＣカード３をＩＣカード収納部であるＩＣカード用コネクタ本体１に挿入する。この状態ではイジェクト金具６がＩＣカード３によって押されるため、回転軸６ａを中心に回転し、さらにイジェクト金具６の片端で結合されたイジェクトボタン１５はＩＣカード３の挿入方向と逆の方向に移動する。
【００１６】
次に図２および図３に示すように、ＩＣカードストッパーつまみ１７はＩＣカード３の後端より外へ突き出され、ここでイジェクトボタン１５の回転軸１５ａを中心にＩＣカードストッパーつまみ１７をＩＣカード３の後端側へ回転させる。これによってＩＣカード３の脱落方向においてＩＣカードストッパーつまみ１７はＩＣカード３の脱落を防止するように配置されることになる。この結果、ポータブルな電子機器装置を携帯使用する場合におけるＩＣカードの不用意な脱落の防止を図ることができる。
【００１７】
（実施例２）
以下、本発明の第２の実施例について図面を参照しながら説明する。
【００１８】
図４は本発明のイジェクト機構のボタンにスライド機構を備えた脱落防止付イジェクト機構の上面図である。図４において、１はＩＣカード用コネクタ本体、３はＩＣカードをであり、以上は図１の構成と同様なものである。図１と異なるのはイジェクトボタン１５の回転機構からイジェクトボタン２５のスライド機構に変えた点である。図５はイジェクトボタン２５の先端構造を示した斜視図であり、イジェクトボタン２５とその先端でスライドするＩＣカードストッパーつまみ２７とで構成している。
【００１９】
以上のように構成された脱落防止付イジェクト機構について、以下その動作及び作用を説明する。
【００２０】
まず、ＩＣカード３をＩＣカード収納部であるＩＣカード用コネクタ本体１に挿入する。この状態ではイジェクト金具６がＩＣカード３によって押されるため、回転軸６ａを中心に回転し、さらにイジェクト金具６の片端で結合されたイジェクトボタン２５はＩＣカード３の挿入方向と逆の方向に移動する。
【００２１】
次に図５および図６に示すように、ＩＣカードストッパーつまみ２７はＩＣカード３の後端より外へ突き出され、ここでイジェクトボタン２５先端でＩＣカードストッパーつまみ２７をＩＣカード３の後端側へスライドさせる。これによってＩＣカード３の脱落方向においてＩＣカードストッパーつまみ２７はＩＣカード３の脱落を防止するように配置されることになる。この結果、第１の実施例と同様の効果を実現することができる。
【００２２】
【発明の効果】
以上のように、携帯使用されるポータブルな電子機器装置に内蔵される本発明の脱落防止付イジェクト機構は、ＩＣカードを取り出すためのイジェクトボタンの先端に回転機構、または、スライド機構を有したＩＣカードストッパーつまみが与えられ、ＩＣカードの脱落方向にストッパーとなるようにＩＣカードストッパーつまみが配置されるので、不用意なＩＣカードの脱落を防止することをでき、これによりデータ破壊や電気的破壊など脱落によって生じる危険を防止することができる。
【図面の簡単な説明】
【図１】本発明の第１の実施例における回転機構を備えた脱落防止付イジェクト機構の上面図
【図２】本発明の第１の実施例における脱落防止付イジェクト機構のボタン先端の構成を示す斜視図
【図３】本発明の第１の実施例における脱落防止付イジェクト機構の回転機構を示す斜視図
【図４】本発明の第２の実施例におけるスライド機構を備えた脱落防止付イジェクト機構の上面図
【図５】本発明の第２の実施例における脱落防止付イジェクト機構のボタン先端の構成を示す斜視図
【図６】本発明の第２の実施例における脱落防止付イジェクト機構のスライド機構を示す斜視図
【図７】（ａ）従来例におけるＩＣカードが収納部に挿入される状態を示す上面図
（ｂ）従来例におけるＩＣカードと収納部であるＩＣカード用コネクタとの保持状態を示す断面図
【符号の説明】
１  ＩＣカード用コネクタ本体
３  ＩＣカード
６  イジェクト金具
１５  イジェクトボタン
１７  ＩＣカードストッパーつまみ
【図１】
0003579938.tif 000002
【図２】
0003579938.tif 000003
【図３】
0003579938.tif 000004
【図４】
0003579938.tif 000005
【図５】
0003579938.tif 000006
【図６】
0003579938.tif 000007
【図７】
0003579938.tif 000008